(57)【要約】【課題】  稼動時おいて重送検知センサの検知異常を予め予測できるようにする。【解決手段】  紙葉類を搬送する搬送ローラ対１７ｂと、この搬送ローラ１７ｂによって搬送される紙葉類が複数枚重合しているか否かを判別し、その判別データを送信する重送検知センサ１６ａと、この重送検知センサ１６ａから送信される判別データに基づいて重送検知センサ１６ａの検知異常を予測する主制御部と、この主制御部により重送検知センサ１６ａの検知異常が予測されるのに基づいて重送検知センサ１６ａに対する処置を表示する表示部２３とを具備する。【選択図】      図２
2005208826.tif 000002
【特許請求の範囲】
【請求項１】
紙葉類を搬送する搬送手段と、
この搬送手段によって搬送される紙葉類が複数枚重合しているか否かを判別し、その判別データを送信する判別手段と、
この判別手段から送信される判別データに基づいて前記判別手段の判別異常を予測する予測手段と、
この予測手段により前記判別手段の判別異常が予測されるのに基づいて前記判別手段に対する処置を指示する指示手段と
を具備することを特徴とする紙葉類処理装置。
【請求項２】
前記予測手段は複数種の異常予測データを有し、前記判別手段から送信される判別データが前記複数種の異常予測データの何れかと一致するのに基づいて判別異常を予測することを特徴とする請求項１記載の紙葉類処理装置。
【請求項３】
前記指示手段は前記複数種の異常予測データに対応して複数種の処置を指示することを特徴とする請求項２記載の紙葉類処理装置。
【請求項４】
紙葉類を搬送する搬送工程と、
この搬送工程によって搬送される紙葉類が複数枚重合しているか否かを判別し、その判別データを送信する判別工程と、
この判別工程から送信される判別データに基づいて前記判別工程の判別異常を予測する予測工程と、
この予測工程により前記判別工程の判別異常が予測されるのに基づいて前記判別工程に対する処置を指示する指示工程と
を具備することを特徴とする紙葉類処理方法。
【発明の詳細な説明】
【技術分野】
【０００１】
本発明は、例えば、駅等に設置される自動券売機として適用される紙葉類処理装置及び紙葉類処理方法に関する。
【背景技術】
【０００２】
この種の自動券売機は、券購入のために投入された紙幣を鑑査する鑑査部を備え、この鑑査部で紙幣の真偽、種類等を判別するようになっている。
【０００３】
ところで、鑑査部においては、紙幣が２枚以上同時に搬送される、所謂重送されることがある。紙幣が重送されると、紙幣の処理枚数に計数誤りが発生してしまう。
【０００４】
そこで、この計数誤りを防ぐために、重送が発生したことを検知する重送検知センサを設け、この重送検知センサにより重送を検知した場合には異常として処理することが従来から行われている（例えば、特許文献１を参照。）。
【特許文献１】特開平６−２５９６４３号公報
【発明の開示】
【発明が解決しようとする課題】
【０００５】
ところで、重送検知センサに異常が発生すると、紙幣の重送を検知することができなくなり、紙幣の処理枚数に計数誤りが発生する。この重送検知センサの異常は保守点検時に確認、調整が可能である。
【０００６】
しかしながら、従来においては、重送検知センサが稼動時に異常になった場合には、重送検知が出来なくなるという問題があった。
【０００７】
本発明は上記事情に着目してなされたもので、その目的とするところは、稼動時おいて紙葉類の重送を判別する判別手段の判別異常を予め予測できるようにした紙葉類処理装置及び紙葉類処理方法を提供することにある。
【課題を解決するための手段】
【０００８】
上記課題を解決するため、請求項１記載のものは、紙葉類を搬送する搬送手段と、この搬送手段によって搬送される紙葉類が複数枚重合しているか否かを判別し、その判別データを送信する判別手段と、この判別手段から送信される判別データに基づいて前記判別手段の判別異常を予測する予測手段と、この予測手段により前記判別手段の判別異常が予測されるのに基づいて前記判別手段に対する処置を指示する指示手段とを具備することを特徴とする。
【０００９】
請求項４記載のものは、紙葉類を搬送する搬送工程と、この搬送工程によって搬送される紙葉類が複数枚重合しているか否かを判別し、その判別データを送信する判別工程と、この判別工程から送信される判別データに基づいて前記判別工程の判別異常を予測する予測工程と、この予測工程により前記判別工程の判別異常が予測されるのに基づいて前記判別工程に対する処置を指示する指示工程とを具備することを特徴とする。
【発明の効果】
【００１０】
本発明によれば、稼働中に、判別手段の判別異常を予測でき、完全に異常になる前に対処して紙葉類の重送を確実に判別できる。
【００１１】
また、判別手段の判別異常を複数の状態に定義し、それぞれの場合について対応を分けることにより、係員および保守員の作業を効率よく行い、装置の稼働率を上げることができる。
【発明を実施するための最良の形態】
【００１２】
以下、本発明を図面に示す実施の形態を参照して詳細に説明する。  
図１は本発明の一実施の形態である自動券売機を示す全体構成図である。
【００１３】
この自動券売機は、駅等に設置され、購入希望者の操作および料金投入に従い、乗車券（切符、定期券など）を発行するものである。
【００１４】
上記自動券売機の前面には、固定の案内を表示する固定案内表示部１と上部、下部の２つの接客部２、３が設けられている。上部の接客部２には、種々の案内を表示したりするタッチパネル内蔵のカラー液晶表示部（ＬＣＤ）によって構成される表示部（接客パネル、液晶タッチパネル）４、係員を呼び出す呼出ボタン５、券を複数枚購入する際に投入する複数枚購入ボタン６が設けられている。
【００１５】
表示部４は、投入金額表示部４ａと料金釦表示部４ｂとにより構成されている。下部の接客部３には、プリペイドカード（ＳＦカード、ストアードフェアカード、前払いカード）、定期券が挿入されるとともに挿入されたプリペイドカード、定期券が排出されるカード挿入／排出口７、発行される新規のきっぷ等の乗車券が発行される乗車券発行口８、使用可能な紙葉類としての紙幣を表示する使用可能紙幣表示部９、紙幣を挿入排出する紙幣挿入／排出口１０、硬貨が投入される硬貨投入口１２、及びテンキー部１３が設けられている。
【００１６】
また、上記テンキー部１３の裏側には、釣銭放出口（図示しない）が有り、この釣銭放出口からの釣銭は受け皿（図示しない）に放出されるようになっている。
【００１７】
図２は、上記した自動券売機内に設けられる紙葉類処理装置としての紙幣自動受払装置１５を概略的に示すものである。  
紙幣自動受払装置１５は上記した紙幣挿入／排出口１０から挿入される紙幣を取込んで後述するように処理したのち紙幣挿入排出口１０から紙幣Ｐを返却したり釣り銭として排出するものである。
【００１８】
紙幣自動受払装置１５の内部には、投入された紙幣を搬送路１７ａに沿って搬送する搬送手段としての搬送ローラ対１７ｂが配設されているとともに、紙幣鑑査部１６が設けられている。紙幣鑑査部１６は、紙幣の重送を検知する判別手段としての重送検知センサ１６ａ及び紙幣の種類、真偽を鑑査する紙幣鑑査センサ１６ｂを備えている。重送検知センサ１６ａは搬送路１７ａを介して対向配置される発光素子１６ａ1と受光素子１６ａ2を有して構成され、受光素子１６ａ2の受光量に基づいて紙幣の重送を判別するようになっている。
【００１９】
また、紙幣自動受払装置１５の内部には、入金された紙幣を格納するとともに、格納した紙幣を釣り札として放出する機能を持つ第１乃至第３の金庫部１８〜２０が設けられ、さらに、入金された紙幣について、取り引きが終了するまで保留する一時保留部２２が設けられている。この紙幣自動受払装置１５の反接客面側、即ち、係員室側の面には指示手段としての表示部２３及び通知部２４が設けられている。
【００２０】
通常の紙幣処理においては、紙幣挿入／排出口１０から紙幣を挿入し、紙幣鑑査部１６で紙幣を鑑査するととともに、重送をチェックしたのち、一時保留部２２で一時保留する。釣り札がある場合には、第１乃至第３の各金庫１８〜２０から紙幣を必要枚数を放出し、取引きが終了すると、一時保留部２２から第１乃至第３の各金庫１８〜２０へ紙幣が格納される。
【００２１】
図３は、紙幣自動受払装置１５の駆動制御系を示すブロック図である。
【００２２】
この駆動制御系は紙幣自動受払装置１５の動作を制御する主制御部２５を有し、この主制御部２５にはメカ制御や紙幣鑑査等のデータを記録するメモリ２６が接続されている。また、この主制御部２５には制御回路を介して、モータ等のアクチュエータの制御・駆動部２７、搬送制御センサーの制御・駆動部２８、重送検知センサ１６ａの制御・駆動部２９、紙幣鑑査センサ１６ｂの制御・駆動部３０が接続されている。さらに、主制御部２５には、自動券売機（上位装置）３１との通信を制御する上位通信制御部３２が接続されている。
【００２３】
上記した紙幣鑑査部１６で紙幣の重送チェックを行う際は、例えば、工場出荷時に、図４に示すように、重送検知センサ１６ａの出力レベルの閾値を定め、搬送した紙幣が一枚か、二枚以上であるかを判定し、このときの出力レベルをメモリ２６に記録する。
【００２４】
即ち、図５に示すように、紙幣を搬送して（ステップＳ１）、重送検知センサ１６ａによって重送検知処理し（ステプＳ２）、紙幣が一枚搬送であるか否かを判別する（ステップＳ３）。一枚搬送と判別された場合には、そのデータをメモリ２６に記録し（ステップＳ４）、二枚枚搬送と判別された場合には、そのデータをメモリ２６に記録する（ステップＳ５）。
【００２５】
このように、出荷時の重送検知センサ１６ａの出力を記録しておき、記録した出力データの変化の特徴から、重送検知センサ１６ａの状態を判断する。この出力データの変化の特徴の判断は、例えば、図６に示すように、紙幣が一枚と判定したときのデータ、紙幣が二枚以上と判定したときのデータについて、工場出荷時の設定値と、稼働中の状態とを比較することにより行う。
【００２６】
比較する方法の一手段としては、稼働中に収集したデータの平均値及びばらつきの上下限で定義するデータ分布の差異を４っの型（条件１〜４）に分け、稼動中の重送検知センサ１６ａの状態を４つの型のいずれかに当てはめて、検知異常を予測判断する方法がある。
【００２７】
即ち、図７に示すように、稼動中に重送検知センサ１６ａにより判別処理された検知データが主制御部２５に送信され（ステップＳ１１）、この検知データが条件１に対応するか否かが判別される（ステップＳ１２）。条件１に対応する場合には、表示部２３に重送検知センサ１６ａを清掃、再調整すべき旨の表示がなされるとともに、通知部２４によりその旨の通知がなされる（ステップＳ１３）。条件１に対応しない場合には、条件２に対応するか否かが判別される（ステップＳ１４）。条件２に対応する場合には、表示部２３に重送検知センサ１６ａの部品交換と再調整すべき旨の表示がなされるとともに、通知部２４により通知される（ステップＳ１５）。条件２に対応しない場合には、条件３に対応するか否かが判別される（ステップＳ１６）。条件３に対応する場合には、表示部２３に調整無しを表示し、通知部２４による通知はしない（ステップＳ１７）。条件３に対応しない場合には、条件４に対応するか否かが判別される（ステップＳ１８）。条件４に対応する場合には、表示部２３に重送検知センサ１６ａを再調整すべき旨の表示がなされ、通知部２４によりその旨の通知がなされる（ステップＳ１９）。
【００２８】
上記したように、この実施の形態によれば、稼働中に、重送検知センサ１６ａの判別異常を予測でき、完全に異常になる前に対処して紙葉類の重送を確実に判別できる。
【００２９】
また、重送検知センサ１６ａ判別異常を複数の状態（第１〜第４の状態）に定義し、それぞれの場合について対応を分けることにより、係員および保守員の作業を効率よく行い、装置の稼働率を上げることができる。
【００３０】
なお、本発明は、上記一実施の形態に限られることなく、その要旨の範囲内で種々変形実施可能なことは勿論である。
【図面の簡単な説明】
【００３１】
【図１】本発明の一実施の形態である自動券売機を示す正面図。
【図２】同自動券売機の内部に設けられる紙幣自動受払装置を示す構成図。
【図３】同紙幣自動受払装置の制御系を示すブロック図。
【図４】同重送検知センサの紙幣重送の判定を示す模式図。
【図５】同重送検知センサによる紙幣重送の判定を示すフロ−チャート図。
【図６】同重送検知センサの検知状態の定義を示す図。
【図７】同紙幣自動受払装置の処理動作を示す図。
【符号の説明】
【００３２】
１６ａ…重送検知センサ（判別手段）
１７ｂ…搬送ローラ対（搬送手段）
２３…表示部（指示手段）
２４…通知部（指示手段）
２５…主制御部（予測手段）
【図１】
2005208826.tif 000003
【図２】
2005208826.tif 000004
【図３】
2005208826.tif 000005
【図４】
2005208826.tif 000006
【図５】
2005208826.tif 000007
【図６】
2005208826.tif 000008
【図７】
2005208826.tif 000009